【手続補正書】
【提出日】平成15年10月21日(2003.10.21)
【手続補正１】
【補正対象書類名】明細書
【補正対象項目名】請求項７
【補正方法】変更
【補正の内容】
【請求項７】
＋３ジオプターまたは−３ジオプターより大きい矯正を必要とする眼の個別セクションの収差を決定する方法において、
光ビームを眼の網膜に向けることと、
前記光ビームを前記眼の網膜から反射させることと、
前記眼の個別セクションに対して、前記の反射された光ビームにおける波面の特性を決定することと、
前記波面の特性に基づいて、前記個別セクションごとに前記眼の収差を数量化するデータを作成することと、
を含む眼の収差を決定する方法。
【手続補正２】
【補正対象書類名】明細書
【補正対象項目名】請求項９
【補正方法】変更
【補正の内容】
【請求項９】
眼の収差を決定する方法において、
プローブビームをプローブビーム路に沿って眼の方に向けることと、
凝視像を凝視像路に沿って前記眼の方に向けることと、
光源を映像路に沿って前記眼の方に向けることと、
前記眼の映像を発生させることと、
前記眼から発出する波面を波面路に沿う方向に向けることであって、
前記プローブビーム路、前記凝視像路、前記映像路および前記波面路が少なくとも該通路のそれぞれの一部に沿って一致し、前記プローブビーム路が前記眼の網膜で終わり、該プローブビームが該眼の網膜から波面として反射される、前記眼から発出する波面を波面路に沿う方向に向けることと、
前記波面を単一のマイクロレンズアレーを通過させて、前記眼を、少なくとも部分的に、前記映像路に沿う方向に向けられた前記光源によって発生させられた前記眼の映像に基づいて前記プローブビーム路とアラインさせることと、
前記波面を測定すること、および
前記波面の前記測定に基づいて前記眼の収差を表すデータを作成することと、
を含む眼の収差を決定する方法。
【手続補正３】
【補正対象書類名】明細書
【補正対象項目名】０００８
【補正方法】変更
【補正の内容】
【０００８】
例として、公知技術の１つの方法およびシステムが、米国光学協会機関誌（Journal of the Optical Society of America)の1994年7月刊、第11巻7号、1949〜1957ページに掲載された“Objective Measurement Of Wave Aberrations Of The Human Eye With The Use Of A Hartmann-Shack Wave-Front Sensor ”「ハートマン（Hartmann）−シャック（Shack)の波面センサを用いた人間の眼の波動収差の客観的測定」と題するJunzhong Liang外の論文によって開示されている。Liang外は、網膜の中心窩上に焦点を合わされたレーザ光点の網膜反射によって眼から出てくる波面を測定することによって眼の収差を測定するためにハートマン−シャック波面センサを使用することを教示している。実際の波面は、ゼルニケ（Zernike)多項式を使った波面計算によって復元される。


【手続補正４】
【補正対象書類名】明細書
【補正対象項目名】００１５
【補正方法】変更
【補正の内容】
【００１５】
本発明の一実施例は、人間の眼に存在する収差の客観的で詳細な測定を行うための装置および方法を提供する。かかる装置によって測定される収差は、伝統的な近視／遠視および乱視（astigmation)に加えて、球面収差やコマ（coma）収差等の“高位”現象を包含する。
本発明の実施例に従い、エネルギー源が放射ビームを発生させる。ビームの通路に配置された光学体が、拡散反射器（diffuse reflector)を提供する後部（rear portion）を有する集束光学系（focusing optical system）を通してビームを導く。ビームは、集束光学系を通過する放射光の波面として上記の後部から拡散反射して戻り、上記の光学体に衝突することになる。光学体は、波面が集束光学系から出てくるにつれてこの波面に直接呼応して波面を波面アナライザに投射する。波面アナライザは、光学体から投射される波面の通路中に配置されており、波面の歪みを集束光学系の視覚収差の推定値として計算する。波面アナライザは、その歪みを含むように波面を復元するためにセンサデータを分析するプロセッサに結合された波面センサを含む。


【手続補正５】
【補正対象書類名】明細書
【補正対象項目名】００１８
【補正方法】変更
【補正の内容】
【００１８】
一実施例においては、放射光は光学的放射光であり、波面センサは、感光セルの平面アレイまたはプレートを使って動作する。プレートは通常不透明であるが、衝突する光を選択的に通過させる１列の光透過開口（light transmissive aperture)部のアレーを有する。プレートは、波面の一部分が光透過開口部を通過するように波面の通路内に配置されている。感光セルの平面アレイは、プレートに平行に、かつ、選択された距離だけプレートから間隔をあけて配置されている。光透過開口部の１つを通過する波面の各部分は、独特の複数個の感光セルをカバーする幾何学的な形状を照射する。


【手続補正６】
【補正対象書類名】明細書
【補正対象項目名】００２２
【補正方法】変更
【補正の内容】
【００２２】
ここに述べる通りの本発明の方法は、１態様として、＋または−３のジオプターの変化より大きい変更を要求する眼の収差を決定し、眼の網膜上に光ビームを向けること、眼の網膜から光ビームを反射すること、反射された光ビーム内の波面の特性を決定すること、及び、この波面の特性に基づいてデータを作成し、そのデータが眼の収差を数量化すること、を含む。このデータはさらに、光ビームが通過する媒質の屈折率に基づいて作成されてもよい。さらになお、眼の個別のセクションごとに対する眼の収差を数量化する、波面の特性に基づいたデータが作成されてもよい。


【手続補正７】
【補正対象書類名】明細書
【補正対象項目名】００４３
【補正方法】変更
【補正の内容】
【００４３】
今、図３を参照すると、本発明による装置１０の一実施例の簡略化した概要が図示されている。装置１０は、小径のレーザビーム１４を生成するのに使用される放射光を発生させるためのレーザ１２を含む。レーザ１２は、眼に安全な波長と出力の視準されたレーザ光ビーム（ビーム１４は破線で表されている）を発生する。眼に当てる場合、波長は、可視スペクトル全体と赤外線に近いスペクトルを含むのが適切であろう。例として、適切な波長は５５０、６５０、８５０ナノメートルの有用な波長を含む約４００〜１０００ナノメートルの範囲内でよい。可視スペクトル内というのが眼の働く条件であるから、その中で実施するのが一般に望まれるが、用途によっては、赤外線に近いスペクトルが有利となることもあり得る。例えば、患者が測定の行われていることに気付かなければ、その方が患者の眼はよりリラックスできる。放射光の波長に関係なく、眼に当てる場合は、出力を眼に安全なレベルに制限するのが望ましい。レーザ照射については、眼に安全な適切な露出レベル（exposure level）が、レーザ製品に関する米国連邦性能規格（U.S. Federal Performance Standard)に定められている。解析を眼以外の光学系において行おうとする場合は、検査波長範囲は論理的に、その光学系の所期の動作範囲を織り込んだものにするのが望ましい。


【手続補正８】
【補正対象書類名】明細書
【補正対象項目名】００４５
【補正方法】変更
【補正の内容】
【００４５】
例としてここに述べる通り、レーザビーム１８は、集光光学系の列（focusing optical train）２２を経由できるように偏光感知ビームスプリッタ（polarization sensitive beam splitter）２０を通過させられる偏光ビーム（polarized beam）であり、光学系の列は、レーザビーム１８を眼１２０の光学体（例えば角膜１２６、瞳孔１２５および水晶体１２４）を通して網膜１２２に焦点を結ばせる働きをする。理解すべきは、白内障（cataract）が進行した患者にとっては水晶体１２４が存在しないかも知れないことである。それでも、そのことは本発明に影響しない。図３に示す例では、光学系の列２２はレーザビーム１８を、眼の視覚が最も鋭敏である眼の中心窩１２３の位置またはその付近で小さい光点として結像させる。この小さい光点は、別の向きの視界に関する眼の収差を決定するために網膜１２２の別の部分から反射されることもあり得ることに注目されたい。例えば光点が網膜１２２の中心窩１２３を囲む領域からはずれて反射された場合は、特に周辺の視界に関する眼の収差が評価されることになる。どんな場合でも、光点は、網膜１２２上に近回折（near-diffraction）の制限された像が形成されるようにサイズを決めることができる。従って、中心窩１２３においてレーザビーム１８によって生み出された光点は、直径が約１００マイクロメートルを超えず、典型的には１０マイクロメートルのオーダーとなる。


【手続補正９】
【補正対象書類名】明細書
【補正対象項目名】００４６
【補正方法】変更
【補正の内容】
【００４６】
網膜１２２から戻る形のレーザビーム１８の拡散反射は、図３において、眼１２０を通って戻る放射光を指し示す実線２４で表されている。先に図１（Ｂ）に則して歪んだ波面１３０として記述された波面２４は、光学系の列２２に衝突し、これを通過し、偏光感知ビームスプリッタ２０に衝突する。波面２４は、網膜１２２から出ていくにつれて、反射と屈折のためにレーザビーム１８に対して偏光が解消される。従って、波面２４は、偏光感知ビームスプリッタ２０で方向転換され、ハートマン−シャック（Ｈ−Ｓ）波面アナライザのような波面アナライザ２６の方へ向けられる。通常、波面アナライザ２６は波面２４の傾き、すなわち、先に図２（Ａ）および２（Ｂ）に則して述べた通り、多数の（x,y）横座標でのｘおよびｙに関する偏導関数を測定する。この偏導関数の情報は、次に、ゼルニケ多項式の重み付け級数のような数式を使って原波面（original wavefront）を復元または近似するのに使用される。


【手続補正１０】
【補正対象書類名】明細書
【補正対象項目名】００５７
【補正方法】変更
【補正の内容】
【００５７】
本発明では、このような重度の収差を補償するための５つの方法を例としてここに説明する。第１の方法は、十分に小さい感光セル３８と十分に大きい穴３４（または他の何らかの透過開口）を持つ波面センサを利用することである。この方法では、小さいＦ値を使って各波面片の測定を受け入れ可能な精度で行うことができる。第２の方法は、平面アレイ３６を光軸に沿って移動させ、それでプレート３２までの隔離距離Ｆを変えるようにすることである。重度の収差を持つ者については、投射された波面部分をうまく切り離して平面アレイ３６上に保つために平面アレイ３６をプレート３２の近くに位置決めする。軽度の収差を持つ者については、平面アレイ３６をプレート３２に対して移動させ、隔離距離Ｆを大きくして、より正確な測定が行われるようにする。隔離距離Ｆを変えるために平面アレイ３６をプレート３２に対して移動させることの利点は、いかなる位置に対しても波面解析が容易にできるようになることである。本発明に従って重度の収差を補正する更に別の方法は、レンズ２２０とレンズ２２４の間の光路長を変えることである。Porro鏡２２２を移動させると、波面がプレート３２にぶつかる場所に影響が出るのでなく、投射された波面部分がプレート３２を通過する時の角度偏向、すなわちΔx/F、Δy/Fが変わることになる。レンズ２２０とレンズ２２４の間の光路長を小さくすると、波面部分は平面アレイ３６の中心に向けて引っ張られる傾向になり、それによって遠視が補正される。レンズ２２０とレンズ２２４の間の光路長を大きくすると、波面部分は平面アレイ３６の縁に向けて広げられる傾向になり、それによって近視が補正される。各波面片と関連した角度偏向が変えられる度合いは、その光軸からずれる距離と、Porro鏡２２２のそのゼロ位置からの移動量の一次関数である。重度の収差を補正する第４の方法は、後に詳述する通り、所定の球面／円筒面屈折力を有する１つ以上のトライアルレンズ（trial lense)を中間焦点平面の場所に挿入することである。これは、波面から軽度の収差を低減または除去し、それで、ＣＣＤセル３８におけるスポットの変位を最小限に抑え、正確な評価を遂行できるようにするのに役立つ。指定のレンズを追加することの効果は、最終的な波面復元の中に含まれる。第５の方法は、波面センサにおける波面の倍率を眼における倍率に対して増大させることである。これは、中継光学器具レンズ（relay optics）設計段階での適切なレンズの選択によって成し遂げられる。倍率増大によって波面の傾きは均一に減らされ、その結果、ＣＣＤにおける各スポットの変位が減らされることになる。


【手続補正１１】
【補正対象書類名】明細書
【補正対象項目名】００６０
【補正方法】変更
【補正の内容】
【００６０】
波面センサの構造に関係なく、プロセッサ４０は、波面２４によって作られた各スポット２７の各二次元中心２９を計算する。対応する穴３４（つまり小レンズアレイ３３の副開口）と関連した各指定領域のための校正スポットの中心に対する二次元中心のシフト量を隔離距離Ｆで割り、それで、穴３４の中心の（x,y）座標において波面の局部傾きの行列、すなわちＰ（x,y）およびＱ（x,y）を作る。ここで、Ｐ（x,y），Ｑ（x,y）は前述の通り、下記の式で表されるものである。
Ｐ(x,y)＝∂Ｗ(x,y)/∂x、Ｑ(x,y)＝∂Ｗ(x,y)/∂y
偏導関数データを使って、上に図１（Ｂ）および３に則して述べた通りの歪んだ波面１３０および２４を計算するための方法は多数ある。受け入れ可能な方法の1つは、先に挙げた米国光学協会機関誌においてLiang外が発表したもので、ゼルニケ多項式を使って波面を近似計算する方法である。これは、多数の光学関係誌において述べられた標準的な解析技術であり、例えばM. BornおよびE. Wolfによる“Principles of Optics, 11”（英国、オックスフォードPergamon Press、1964）がある。例として、ゼルニケ多項式の方法についてここで述べる。但し、理解すべきは、歪んだ波面の近似計算には他の数学的方法が使用できることである。例として、そのような方法にはフーリエ級数やテイラー級数の使用も含まれる。


【手続補正１２】
【補正対象書類名】明細書
【補正対象項目名】００６２
【補正方法】変更
【補正の内容】
【００６２】
簡単に、波面Ｗ(x,y)は個々の多項式の重み付けした和として表され、ここでＣiは重み付け係数、Zi(x,y)は数次までのゼルニケ多項式である。和の上限ｎは、真の波面を近似計算するのに使用されるゼルニケ多項式の数、すなわち最高次数の関数である。ｍが使用される最高次数であれば、
ｎ＝(ｍ＋1)(ｍ＋2)/2                                      (5)
となる。任意の次数ｎまでのゼルニケ多項式の誘導については、前述のBornおよびWolfの論文等、多数の光学関係文献の中で述べられている。ここでは、先に図５および６に則して述べたような、スポット２７、１１４の中心２９、１１６をそれぞれ決定することのできる１つの方法、およびゼルニケの重み付け係数の計算方法について解説する。各穴３４の中心を通る単位法線の方向は、セル３８上のスポットの中心に基づいている。各スポットが強さを変えながら複数のセルを照らすので、振幅で重み付けした中心計算（ampritude-weighted centroid calculation)の標準的方法を使って各スポットの中心を見つけることができる。例えば有効スポット間のＣＣＤ表面に到達する疑似光（spurious light）から生じる背景ノイズから各中心の輪郭を明瞭に描くためには、整合空間フィルタ（matched spatial filter）などの標準的な数学技法を中心識別の前にＣＣＤデータに適用することができる。


【手続補正１３】
【補正対象書類名】明細書
【補正対象項目名】００８２
【補正方法】変更
【補正の内容】
【００８２】
となる。ＴＭは所与の開口、例えば６ｍｍ瞳孔開口について計算される。方程式（19）における関数Ｚk(x,y)はゼルニケ多項式である。そのシーケンスについては標準の決まり（convention）はない。よって、矛盾の無いようにするためには、同じシーケンスを使って、行列ＴＭを導き出すのに選んだ集合（set）Ｃkを作ることが重要である。それらは、同じ次数の群内において生じ、この場合の同じ次数とは、その群の中の最も高い冪指数（exponent）のことで、１つの次数における要素の合計数は次数とともに増えていく。例えば４次解析では、４以下の次数を使用する（less Ｚ0−ｚ方向における群の基準位置を表す定数１である次数０の単一要素）。波面２４がｚに沿って移動しているので（光の速度で）、この“ピストン項（piston term）”は、単にＺにおける任意のオフセットを表すだけであり、この項を無視してよい。最初の５つの次数（0、1、．．．、4）は、ピストン項を含めて１５の関数を含む。


【手続補正１４】
【補正対象書類名】明細書
【補正対象項目名】０１０３
【補正方法】変更
【補正の内容】
【０１０３】
図１３に示す通り、台３０６は、装置３００によって測定するために眼１２０を位置決めする患者に光学テーブルを提供する。台の表面は約６１ｃｍ（２フィート）×１２２ｃｍ（４フィート）の寸法を有し、この表面に光学コンポーネントが、市販のマウント（mount)と特注の精密ハードウェアマウントの組み合わせを用いて固定される。透過性光学エレメントはすべて、選択されたプローブビーム波長に合わせて最適化された表面反射防止被覆（surface anti-reflection coating)を有する。ここに例として挙げる光学レイアウトは、光学エレメントを共有する５つの別個の光路（optical pathway)を含む。再び図１３について説明すると、第１の光路３４０、すなわち、図１４に読者の見易いように囲って描かれた凝視ターゲット像光路（fixation target image optical path）が、凝視ターゲット像を装置３００に座った患者に向けて表示する。患者は、格子パターンを有するターゲットのレチクル（reticle)３４４の中心を見つめることによって自分の視軸を光軸３４２に合わせる。再び図１３について説明すると、第２の光路３４６、すなわち、図１５に読者の見易いように囲って描かれた映像光路（video image optical path）が、角膜平面の映像を捕らえる。これで、技師は、患者が眼１２０を検査位置に合わせるのを手助けし、映像に重ね合わされたソフトウェア・レチクル（software reticle）を使って各測定中の眼の正確な位置を記録できるようになる。再び図１３について説明すると、第３の光路３４８、すなわち、図１６に読者の見易いように囲って描かれたプローブレーザ光路が、プローブレーザビーム３５０を光軸３４２に沿って眼１２０に送り込む。先に図３および８に則して述べた通り、プローブレーザビーム１４（図１６では番号３５０で表されている）は、角膜表面に焦点を結ぶ前に眼に安全な強さに減衰させられ、直線的に偏光させられる。再び図１３について説明すると、第４の光路３５２、すなわち、図１７に読者の見易いように囲って描かれた再放出波面光路（re-emitted wavefront optical path）が、図３の反射された波面２４（図１７では番号３５４で表されている）を運び、眼１２０から再放出された波面を波面センサ３５６に向かわせる。これを遂行するため、第１および第２の無焦点中継ステージ（afocal relay stage）３５８、３６０が、眼１２０の角膜平面から反射された波面３５４を波面センサ３５６の入口面に伝送する。最後に再び図１３について説明すると、第５の光路３６２、すなわち、図１８に読者の見易いように囲って描かれた校正波面光路が、視準されたレーザ光をセンサ３５６に通じる波面伝送路に送り込む。先に図１０に則して述べたコンピュータ３２６の内部で動作できるソフトウェアが、視準された光の波面センサ出力データを使って、患者測定の前に装置３００を校正する。


【手続補正１５】
【補正対象書類名】明細書
【補正対象項目名】０１１０
【補正方法】変更
【補正の内容】
【０１１０】
偏光器（polarizer)３９２は、プローブビーム３５０をｓ状態に直線的に偏光させる（例えば図１３に示す図面平面の外へ）。偏光ビームスプリッタ３７８の角度を付けた内部中間面（interior interface）は、ｓ偏光された光を反射し、その結果、眼１２０に入る光がｓ偏光させられる。直線偏光器４００が、偏光器３９２に関して角度が付けられており、眼１２０に送られたプローブビームパワーを例えば１０μＷ未満に減衰させる減衰器と共働する。ダイオードレーザ３９０は、外部電気トリガ信号４０２によってトリガされる。眼測定にとって標準的な照光時間は７００ｍｓである。シャッタ３９６は、眼１２０がプローブレーザビーム３５０に過度に露出されるのを防ぐ補助安全装置として設けられている。シャッタ３９６は通常閉じられており、レーザトリガ信号４０２に同期化された独立した電気トリガ信号４０４によって開けられる。


【手続補正１６】
【補正対象書類名】明細書
【補正対象項目名】０１１３
【補正方法】変更
【補正の内容】
【０１１３】
偏光ビームスプリッタ３７８は、直線的に偏光させられた光だけをｐ状態で伝送する。眼１２０の角膜表面から反射されたプローブビーム３５０の放射光は、入射光のｓ状態偏光を保ち、偏光ビームスプリッタ３７８によってほとんど伝送されない。対照的に、眼１２０の網膜から散乱させられた光、問題の波面３５４を形成する光は、大きく偏光を減少させられることになる。この光のｐ偏光分は、ビームスプリッタ３７８によって伝送される。これで、ビームスプリッタ３７８は、波面測定を複雑にする恐れのある角膜表面反射を選択的に抑制する。眼１２０の角膜平面に生じる波面は、倍率１のトライアルレンズホルダ４０８の平面に伝送される。トライアルレンズホルダ４０８のこの平面が、中間の瞳孔平面を提供し、他の収差内容を変えることなく、波面３５４の球曲率（spherical curvature)をＮジオプターだけ変えられるように、理想的なＮジオプターレンズ４０９（図１９（Ａ）および１９（Ｂ）を参照）をトライアルレンズ平面に置くために含まれる。通常の波面曲率を予め選択された仕方で縮小／除去できることは、測定精度を下げることなく、波面測定におけるダイナミックレンジをかなり広げる。例としてここで述べる、球面パワー（spherical power)を−１６ジオプターから＋８ジオプターまでの範囲内で２ジオプター増分させて変えるトライアルレンズ４０９ａ〜４０９ｍが、ホルダ４０８の回転輪４０７の上に取り付けられている。この車輪の回転軸は、光軸３４２に平行であるが、この光軸から片寄っている。車輪を回すと、予め選択された複数のトライアルレンズのうちの1つがトライアルレンズ平面上に置かれる。車輪は、選択されたレンズを光路内に適切に保持する精密機械構造の回り止めを有する。


【手続補正１７】
【補正対象書類名】明細書
【補正対象項目名】０１１５
【補正方法】変更
【補正の内容】
【０１１５】
ここに例として述べたような一実施例では、第２の中継ステージ３６０の各々のレンズは、３つのレンズエレメント、２つのメニスカスレンズ、および間に挟み込まれた無彩色ダブレットからなる。しかしながら、これらは同一のものでなく、各種組み合わされることが、通過する波面１３０を拡大するのに役立つ。トライアルレンズホルダ４０８の位置での波面３５４は、倍率１．２２のマイクロレンズアレイ４１２の表面に結像する。波面像がこの限定された１．２２の倍率で拡大されると、像平面内の各点における波面の傾きは同じ１．２２の倍率で減少させられる。これで、再び精度を下げることなく、装置の測定ダイナミックレンジは広げられる。加えて、この倍率によって、波面１３０は、マイクロレンズアレイ４１２内のより多くのエレメント、例えば先に図７に則して述べた通りのＣＣＤセル３８のより多くのセルにわたって配分され、その結果、波面センサ３５６によってもたらされる傾き測定の回数は増やされることになる。鏡４１０は、装置３００のエレメントを台３０６の寸法内に合せるために含まれる。加えて、鏡４１０は、マイクロレンズアレイ４１２とＣＣＤカメラ４０６の組み合わせのために光学的アラインメント調節をできるようにもする。例として図４〜７に則して先に述べた通り、マイクロレンズアレイは、入射波面を横一列の二次“小波”アレイに分割する正方形アレイのマイクロレンズを含む。この小波は、ＣＣＤカメラの検出器表面上に焦点を結ぶようにされる。ＣＣＤカメラは、マイクロレンズアレイに平行で、その１焦点距離後方に位置決めされる。ＣＣＤ映像における焦点を合せられた小波のパターンは、入射波面の形状を計算するのに使用される。


【手続補正１８】
【補正対象書類名】明細書
【補正対象項目名】０１２３
【補正方法】変更
【補正の内容】
【０１２３】
第３のパワーストリップ４４４は、電力をＣＣＤ電子コントローラ４４６に供給する。パワーストリップ４４０はまた、プラットフォーム上およびフレーム内部に置かれた冷却ファン４４８にも電力を供給する。
装置３００の操作は、通常、オペレータ／技師が先ず、電気エレメントの各々を作動させ、ＣＣＤ電子コントローラ４４６が最後に作動できるような形で進めてよい。オペレータは次に３位置スイッチ４４２を介して校正レーザ４１４を作動させる。オペレータは次に、コンピュータ３２６に校正波面測定を取得するよう指示する。コンピュータ３２６は、この指令をＣＣＤ電子コントローラ４４６に中継する。すると、該コントローラはＣＣＤカメラ４０６を作動させ、所定の時間露出させる。ＣＣＤ電子コントローラ４４６はまた、先に図１３に則して述べたトリガ信号４０２、４０４をプローブレーザ３９０およびプローブレーザシャッタ３９６に送る。但し、プローブレーザ３９０はこの時点では給電されていないので、プローブビーム３５０が送出されない。校正ＣＣＤデータがコンピュータ３２６のＣＰＵに転送され、後の解析のために保存される。校正レーザ４１４は、校正手順の終わりにスイッチオフされる。


【手続補正１９】
【補正対象書類名】明細書
【補正対象項目名】０１５４
【補正方法】変更
【補正の内容】
【０１５４】
このような制約を解消するため、図３３（Ａ）に示す通りの改変５００が提供される。角膜平面５０２は、基準平面５０４において無焦点中継ステージ５０６によって像を結ばされ、そこで、角膜平面は予選択された倍率で拡大される。小レンズアレイ４１２は、基準平面５０４上に置かれている。眼１２０からの光は、小レンズアレイ焦点平面５０４で集束する。ＣＣＤ検出面を基準平面５０４に置くよりむしろ、光学系の列５０８を、さらに別の平面、すなわちＣＣＤ検出面が位置決めされる最終像平面５１０にアレイ焦点平面４１３の像を結ばせるように挿入する。先に図１３および３３（Ｂ）に則して述べた無焦点中継ステージ３５８、３６０は、望みに応じて含まれていても含まれていなくてもよい。但し、最終像平面５１０でアレイ焦点平面を拡大することは見込まれている。これによって、小型の相対的に安価なアクティブエリアカメラが波面センサ内の光記録エレメントとして使用できることになる。所与のカメラおよびレンズアレイプレートの性能が最大限発揮されるように、倍率仕様を含む光学設計の詳細を調整することができる。


【手続補正２０】
【補正対象書類名】明細書
【補正対象項目名】０１５５
【補正方法】変更
【補正の内容】
【０１５５】
本発明の利点は多数ある。眼の収差を測定するために、全体的に客観的なアプローチが提供される。このアプローチは、広範囲の視覚欠陥にとって効果的である。従って、本発明は、幅広い多様な臨床的用途において大いに有用である。例えば、計算によって求められたゼルニケ係数を使って、完璧に客観的なレンズの処方を展開することができる。加えて、波面センサの各実施例は、波面偏差の測定に関して従来技術を超える高い精度を保証する。さらに、本発明による波面センサは、その結像平面と感光セルの平面アレイの間の離隔距離を調節することによって単純に利得が調節できるようになっている。